(57)【要約】【課題】複数の通信方法を有する電子機器において、通信方法を容易に選択することが可能な電子機器および表示制御方法を提供する。【解決手段】実施形態によれば、電子機器は、複数の通信方法を示すアイコンを表示する表示部と、前記複数の通信方法の中から、実行する通信方法を選択する操作入力部と、選択された通信方法で通信を実行する通信部と、前記複数の通信方法のそれぞれに対応付けて、通信相手を特定する識別情報を記憶する記憶部とを有する。前記表示部は、前記複数の通信方法のアイコンを全て表示すると共に、前記記憶部に識別情報が記憶されている通信方法のアイコンを前記操作入力部で選択可能に表示する。【選択図】  図９
2012160909.tif 000002
【特許請求の範囲】
【請求項１】
複数の通信方法を示すアイコンを表示する表示部と、
前記複数の通信方法の中から、実行する通信方法を選択する操作入力部と、
選択された通信方法で通信を実行する通信部と、
前記複数の通信方法のそれぞれに対応付けて、通信相手を特定する識別情報を記憶する記憶部と、
を有し、
前記表示部は、前記複数の通信方法のアイコンを全て表示すると共に、前記記憶部に識別情報が記憶されている通信方法のアイコンを前記操作入力部で選択可能に表示する電子機器。
【請求項２】
前記表示部は、前記記憶部に識別情報が記憶されていない通信方法のアイコンを前記操作入力部で選択不可に表示する請求項１に記載の電子機器。
【請求項３】
前記表示部は、前記操作入力部で選択された通信方法に複数の識別情報が登録されている場合、前記複数の識別情報に対応するアイコンを前記操作入力部で選択可能に表示する請求項１に記載の電子機器。
【請求項４】
前記電子機器は、前記表示部を有する第１の端末と、外部通信網に接続する第２の端末とを有し、
前記第１の端末は、無線通信で接続される前記第２の端末を介して前記外部通信網に接続する請求項１に記載の電子機器。
【請求項５】
前記第１の端末は、前記第２の端末と、複数の通信規格に準拠した無線通信で接続する請求項３に記載の電子機器。
【請求項６】
前記通信部は、少なくとも、テキストデータに基づく通信方法と、音声データに基づく通信方法とを有する請求項１に記載の電子機器。
【請求項７】
複数の通信方法を有する電子機器における表示制御方法であって、
前記電子機器の有する全ての通信方法を示すアイコンを表示し、
通信相手を特定する識別情報が記憶されている通信方法のアイコンを選択可能に表示する表示制御方法。
【発明の詳細な説明】
【技術分野】
【０００１】
本発明の実施形態は、電子機器および表示制御方法に関する。
【背景技術】
【０００２】
複数の通信手段を有する装置においては、使用可能な通信方法をユーザに示すことが必要となる。例えば、複数の構成員及びその現在の状況と、グループ内で共有するデータの状況とをグループごとにまとめて表示し、表示画面上で構成員やデータへのアクセスを容易にしたものが開示されている。
【先行技術文献】
【特許文献】
【０００３】
【特許文献１】特開２００１−１０１３０４号公報
【発明の概要】
【発明が解決しようとする課題】
【０００４】
近年登場している電話機では、音声通話やファクシミリ通信に加えて、テレビ電話機能やインターネット機能等を備えるものがある。このような電話機においてユーザは、アドレス帳に登録した通信相手毎に、複数の通信方法における電話番号やアドレス等を登録しておく。ユーザは通信を開始する際、その通信相手について登録された複数の通信方法の中から、ユーザが所望する通信方法を選択する。ユーザが選択した通信相手について何れの通信方法で通信可能であるかを分かりやすく表示し、通信方法の選択を容易にすることで操作性の向上を図る必要がある。
【０００５】
本発明の目的は、複数の通信方法を有する電子機器において、通信方法を容易に選択することが可能な電子機器および表示制御方法を提供することである。
【課題を解決するための手段】
【０００６】
実施形態によれば、電子機器は、複数の通信方法を示すアイコンを表示する表示部と、前記複数の通信方法の中から、実行する通信方法を選択する操作入力部と、選択された通信方法で通信を実行する通信部と、前記複数の通信方法のそれぞれに対応付けて、通信相手を特定する識別情報を記憶する記憶部と、を有し、前記表示部は、前記複数の通信方法のアイコンを全て表示すると共に、前記記憶部に識別情報が記憶されている通信方法のアイコンを前記操作入力部で選択可能に表示する。
【０００７】
また、実施形態によれば、表示制御方法は、複数の通信方法を有する電子機器における表示制御方法であって、前記電子機器の有する全ての通信方法を示すアイコンを表示し、通信相手を特定する識別情報が記憶されている通信方法のアイコンを選択可能に表示する。
【図面の簡単な説明】
【０００８】
【図１】本実施形態における通信システムの外観構成を示す図。
【図２】本実施形態におけるタッチパッド端末とハンドセット１２をクレードル１４から取り外した状態を示す図。
【図３】本実施形態におけるタッチパッド端末１０のシステム構成を示すブロック図。
【図４】本実施形態におけるハンドセット１２のシステム構成を示すブロック図。
【図５】本実施形態におけるクレードル１４のシステム構成を示すブロック図。
【図６】本実施形態におけるタッチパッド端末１０、ハンドセット１２、及びクレードル１４の接続関係を示す図。
【図７】本実施形態におけるクレードル１４を介した通信経路を説明するための図。
【図８】本実施形態におけるコンフィギュレーションリスト２０７の編集画面３００の例を示す図。
【図９】本実施形態における通信方法の選択画面４００の例を示す図。
【図１０】本実施形態における通信方法の選択画面５００の例を示す図。
【図１１】本実施形態における通信方法選択の手順を示すフローチャート。
【発明を実施するための形態】
【０００９】
以下、図面を参照して、実施形態について説明する。
図１は、本実施形態における通信システムの外観構成を示す図である。図１に示す通信システムは、タッチパッド端末１０、ハンドセット１２、及びクレードル１４により構成されている。
【００１０】
タッチパッド端末１０とハンドセット１２は、クレードル１４に着脱自在となっている。図１は、タッチパッド端末１０とハンドセット１２とがクレードル１４に装着された状態を示している。
【００１１】
図２は、本実施形態におけるタッチパッド端末１０とハンドセット１２をクレードル１４から取り外した状態を示している。図２に示すように、クレードル１４には、タッチパッド端末１０を装着するための装着部１４ａと、ハンドセット１２を装着するための装着部１４ｂが形成されている。
【００１２】
装着部１４ａには傾斜面が形成されている。タッチパッド端末１０は、装着部１４ａの傾斜面に、背面を合わせるようにして設置される。装着部１４ａの底部には、タッチパッド端末１０がクレードル１４に装着された場合に、タッチパッド端末１０に設けられた電源端子（図示せず）と接続される電源コネクタ１５ａが設けられている。
【００１３】
同様にして、装着部１４ｂには、傾斜面が形成されている。ハンドセット１２は、装着部１４ｂの傾斜面に、操作面（図２に示す面の反対側の面）を合わせるようにして設置される。装着部１４ｂの底部には、ハンドセット１２がクレードル１４に装着された場合に、ハンドセット１２に設けられた電源端子（図示せず）と接続される電源コネクタ１５ｂが設けられている。タッチパッド端末１０とハンドセット１２は、クレードル１４に設置することで、電源コネクタ１５ａ，１５ｂを介して電気的に接続され、充電することができる。
【００１４】
タッチパッド端末１０は、パーソナルコンピュータ相当の機能を備えており、ＯＳ（Operating System）やアプリケーションプログラム等をプロセッサにより実行することにより、各種の機能を実現することができる電子機器である。タッチパッド端末１０は、スタンドアロンで動作することができるだけでなく、クレードル１４を介して他の機器と接続することができる。また、タッチパッド端末１０は、電話機能が搭載された通信端末としても使用できる。タッチパッド端末１０は、音声通話をするためのスピーカやマイクが設けられる。タッチパッド端末１０は、複数種類の通信モジュールが実装され、それぞれの通信モジュールによりクレードル１４と無線通信することができる。例えば、タッチパッド端末１０は、無線ＬＡＮ（Local Area Network）用の無線ＬＡＮモジュールと、デジタルコードレス電話規格に準拠した無線通信をするデジタルコードレス電話モジュールを有する。無線ＬＡＮモジュールは、例えばＷｉ−Ｆｉ（登録商標）を利用したモジュールである。デジタルコードレス電話モジュールは、例えば、ＤＥＣＴ（Digital Enhanced Cordless Telecommunications）の規格に準拠したモジュールである。ＤＥＣＴの規格に従うデジタルコードレス電話モジュールは、１．９ＧＨｚの周波数帯を使用し、ＴＤＤ−ＴＤＭＡ（自立分散型マルチチャネルアクセス無線）の通信方式により無線通信をする。タッチパッド端末１０は、クレードル１４を経由して、ハンドセット１２と接続される。また、タッチパッド端末１０は、クレードル１４を経由して、インターネット等を含むデータ通信網や公衆電話回線網（ＰＳＴＮ：Public Switched Telephone Network）と接続される。
【００１５】
タッチパッド端末１０は、薄い箱型の筐体を有している。筐体の上面には、ほぼ中央に、タッチスクリーンディスプレイ１１が組み込まれている。タッチスクリーンディスプレイ１１は、例えばＬＣＤ１１Ｂの表面にタッチパネル１１Ａが装着されて構成されたもので、ＬＣＤ１１Ｂによる表示と、ペンや指先などによってタッチされたタッチ位置を検出できる。ユーザは、ＬＣＤ１１Ｂに表示された各種オブジェクトをペンや指先などを用いて選択することができる。ユーザによるタッチ操作の対象とするオブジェクトには、例えば、アプリケーションプログラムにより表示されるオブジェクト、各種情報を表示するためのウィンドウ、ソフトウェアキーボード、ソフトウェアタッチパッド、フォルダやファイルを表すアイコン、メニュー、ボタン等が含まれる。タッチパッド端末１０は、キーボードやマウス／タッチパッドなどの入力装置の代わりに、タッチスクリーンディスプレイ１１へのペンや指先などによるタッチ操作によりデータ入力するためのアプリケーションプログラムが実装されている。
【００１６】
また、タッチパッド端末１０は、筐体上面に、画像を撮影するカメラモジュール１２１が設けられている。また、図示していないが、パワーオンまたはパワーオフを指示するためのパワーボタンや各種のボタンやコネクタ等が設けられている。
【００１７】
ハンドセット１２は、電話機能が搭載された通信端末である。ハンドセット１２には、音声通話をするためのスピーカやマイクの他、ディスプレイや複数のボタンを含む入力デバイスが設けられている。ハンドセット１２は、デジタルコードレス電話規格に準拠した無線通信をするデジタルコードレス電話モジュールが設けられ、クレードル１４と無線通信することができる。デジタルコードレス電話規格は、例えば、ＤＥＣＴが用いられる。ハンドセット１２は、クレードル１４を経由して、公衆回線網（ＰＳＴＮ）と接続される。また、ハンドセット１２は、クレードル１４を介してタッチパッド端末１０と接続され、アドレス帳のデータなどをタッチパッド端末１０と同期させる機能を有している。
【００１８】
クレードル１４は、タッチパッド端末１０とハンドセット１２とを設置する台として使用される他、タッチパッド端末１０とハンドセット１２のアクセスポイントとして機能する。クレードル１４は、無線ＬＡＮ用の無線ＬＡＮモジュールと、デジタルコードレス電話規格に準拠した無線通信をするデジタルコードレス電話モジュールを有する。無線ＬＡＮは、例えばＷｉ−Ｆｉが用いられる。デジタルコードレス電話規格は、例えば、ＤＥＣＴが用いられる。クレードル１４は、タッチパッド端末１０と、無線ＬＡＮ用の無線ＬＡＮモジュールあるいはデジタルコードレス電話モジュールを介して無線通信をすることができる。また、クレードル１４は、ハンドセット１２と、デジタルコードレス電話モジュールを介して無線通信をすることができる。
【００１９】
クレードル１４は、外部電源と接続され、装着部１４ａ，１４ｂに設置されたタッチパッド端末１０とハンドセット１２に対して、外部電源からの電力を供給することができる。また、クレードル１４は、タッチパッド端末１０とハンドセット１２との間で、アドレス帳のデータなどを同期するためのデータ処理を仲介する機能を有する。また、クレードル１４は、タッチパッド端末１０とハンドセット１２を、データ通信網や公衆電話回線網（ＰＳＴＮ）と接続させる。
【００２０】
図３は、本実施形態におけるタッチパッド端末１０のシステム構成を示すブロック図である。
タッチパッド端末１０は、ＣＰＵ１１１、ノースブリッジ１１２、主メモリ１１３、グラフィクスコントローラ１１４、サウスブリッジ１１５、ＢＩＯＳ−ＲＯＭ１１６、ソリッドステートドライブ（ＳＳＤ）１１７、エンベデッドコントローラ１１８、無線ＬＡＮモジュール１１９、デジタルコードレス電話モジュール１２０、カメラモジュール１２１等を有している。
【００２１】
ＣＰＵ１１１は、タッチパッド端末１０の動作を制御するために設けられたプロセッサであり、ＳＳＤ１１７から主メモリ１１３にロードされる、オペレーティングシステム（ＯＳ）１９９、各種デバイスドライバ、及び各種アプリケーションプログラム等を実行する。デバイスドライバには、例えば、ＯＳ１９９の制御のもとで、タッチパネル１１Ａの駆動を制御するタッチパネルドライバ２０２、ＬＣＤ１１Ｂにおける表示を制御する表示ドライバ２０３が含まれる。アプリケーションプログラム２０４には、ガジェットアプリケーション（以下、単にガジェット）と称される予め決められた特定の処理を実行するアプリケーションの他、フォトフレームプログラム、ブラウザプログラム、文章作成プログラム等が含まれる。ガジェットは、一般には、時計や電卓、カレンダー、特定の目的をもった単機能のプログラムである。ガジェットのプログラムは、予めタッチパッド端末１０にインストールされていても良いし、ネットワークや外部記憶媒体を通じてインストールされても良い。
【００２２】
本実施の形態において、アプリケーションプログラムには、通信方法の選択をするための画面を表示する表示プログラム２００が含まれている。また、アプリケーションプログラムには、タッチパッド端末１０を用いて電話、ＦＡＸ、電子メール、テレビ電話等の機能を実行するためのプログラムが含まれる。更に、アプリケーションプログラムには、タッチパッド端末１０とハンドセット１２とのアドレス帳の同期を取るためのプログラムも含まれる。
【００２３】
また、ＣＰＵ１１１は、ＢＩＯＳ−ＲＯＭ１１６に格納されたシステムＢＩＯＳ（Basic Input Output System）も実行する。システムＢＩＯＳはハードウェア制御のためのプログラムである。
【００２４】
ノースブリッジ１１２は、ＣＰＵ１１１のローカルバスとサウスブリッジ１１５との間を接続するブリッジデバイスである。ノースブリッジ１１２には、主メモリ１１５をアクセス制御するメモリコントローラも内蔵されている。グラフィクスコントローラ１１４は、タッチパッド端末１０のディスプレイモニタとして使用されるＬＣＤ１１Ｂを制御する表示コントローラである。
【００２５】
主メモリ１１３は、ＯＳ１１９がロードされる他、アドレス帳２０６とコンフィギュレーションリスト２０７とを格納している。アドレス帳２０６は、ユーザが通信相手として登録しているメンバのリストである。コンフィギュレーションリスト２０７は、アドレス帳２０６に登録されているメンバ毎の詳細なデータの設定リストである。
【００２６】
グラフィクスコントローラ１１４は、ノースブリッジ１１２を介してＣＰＵ１１１から受信される描画要求に基づいてビデオメモリ（ＶＲＡＭ）に表示データを描画するための表示処理（グラフィクス演算処理）を実行する。ＬＣＤ１１Ｂの表示面には透明のタッチパネル１１Ａが配置されている。
【００２７】
タッチパネル１１Ａは、例えば、抵抗膜方式または静電容量方式等を用いて、タッチ検出面のタッチ位置を検出するように構成されている。タッチパネル１１Ａは、例えば、２点以上のタッチ位置を同時に検知可能なマルチタッチパネルが使用されるものとする。タッチパネル１１Ａは、ユーザによるタッチ操作により検出したデータをサウスブリッジ１１５に出力する。サウスブリッジ１１５は、タッチパネル１１Ａからのデータを入力し、ノースブリッジ１１２を介して主メモリ１１３に記録する。
【００２８】
サウスブリッジ１１５は、ＳＳＤ１１７を制御するためのコントローラ等を内蔵している。また、サウスブリッジ１１５には、エンベデッドコントローラ（ＥＣ）１１８、無線ＬＡＮモジュール１１９、デジタルコードレス電話モジュール１２０、カメラモジュール１２１、サウンドコントローラ（コーデック）１２２等が接続される。
【００２９】
ＥＣ１１８は、ユーザによるパワーボタン１２３の操作に応じてタッチパッド端末１０をパワーオン／パワーオフする機能を有している。
無線ＬＡＮモジュール１１９は、例えば、Ｗｉ−Ｆｉ（登録商標）を利用したモジュールであり、クレードル１４との無線通信を制御する。
デジタルコードレス電話モジュール１２０は、例えば、ＤＥＣＴの規格に準拠したモジュールであり、クレードル１４との無線通信を制御する。
カメラモジュール１２１は、ＣＰＵ１１１の制御のもとで画像を撮影して画像データを入力する。カメラモジュール１２１は、静止画像だけでなく動画像を撮影することもできる。
【００３０】
サウンドコントローラ１２２は、音声通話のための音声信号処理をするもので、ＣＰＵ１１１からのオーディオデータを復号してアナログオーディオ信号をスピーカ１２２ａに出力し、マイク１２２ｂから入力されたアナログオーディオ信号を符号化してオーディオデータをＣＰＵ１１１に出力する。
【００３１】
電源回路１２４は、タッチパッド端末１０のパワーオン／パワーオフの制御をＥＣ１１８と共同して制御する。また、電源回路１２４は、タッチパッド端末１０に実装されたバッテリ１２５からの電力、タッチパッド端末１０に設けられた外部電源端子（図示せず）に接続されるＡＣアダプタ（外部電源）からの電力からの電力を用いて、各モジュールへの動作電源を生成して供給する。また、電源回路１２４は、タッチパッド端末１０がクレードル１４に設置された際に、電源端子１２６を介してクレードル１４から供給される電力をバッテリ１２５に充電する。
【００３２】
図４は、本実施形態におけるハンドセット１２のシステム構成を示すブロック図である。
ハンドセット１２は、ＣＰＵ１３１、メモリ１３３、電源回路１３４、バッテリ１３５、電源端子１３６、サウンドコントローラ（コーデック）１３７、スピーカ１３８、マイク１３９、ディスプレイ１４０、入力デバイス１４１を有している。
【００３３】
ＣＰＵ１３１は、ハンドセット１２の動作を制御するためのプロセッサである。ＣＰＵ１３１は、デジタルコードレス電話モジュール１３２が実装されている。デジタルコードレス電話モジュール１３２は、例えば、ＤＥＣＴの規格に準拠したモジュールであり、クレードル１４との無線通信を制御する。
【００３４】
メモリ１３３は、各種プログラムやデータを記憶する。メモリ１３３は、主メモリ１１３に格納されているアドレス帳２０６の一部が同期されており、ハンドセット１２でもアドレス帳２０６が使用可能となっている。
【００３５】
電源回路１３４は、バッテリ１３５からの電力を用いて、ハンドセット１２の各コンポーネントへの動作電源を生成して供給する。電源回路１３４は、ハンドセット１２がクレードル１４に装着された際に、電源端子１３６を介してクレードル１４から供給される電力をバッテリ１３５に充電する。
【００３６】
サウンドコントローラ（コーデック）１３７は、音声通話のための音声信号処理をするもので、ＣＰＵ１３１からのオーディオデータを復号してアナログオーディオ信号をスピーカ１３８に出力し、マイク１３９から入力されたアナログオーディオ信号を符号化してオーディオデータをＣＰＵ１３１に出力する。
【００３７】
ディスプレイユニット１４０は、ＣＰＵ１３１の制御のもとで、例えばＬＣＤ（Liquid Crystal Display）により各種情報を表示する。
入力デバイス１４１は、ユーザ操作を受け付けるためのデバイスであり複数のボタンを含んでいる。複数のボタンには、例えば、ダイヤルボタン（文字ボタン）と、複数の機能ボタンを含んでいる。機能ボタンには、例えば送信ボタン、終了ボタン、電源ボタン、音量調節ボタン、及びカーソルボタンなどがある。
【００３８】
図５は、本実施形態におけるクレードル１４のシステム構成を示すブロック図である。
クレードル１４は、ＣＰＵ１５１、ノースブリッジ１５２、メモリ１５３、サウスブリッジ１５５、フラッシュＲＯＭ１５６、無線ＬＡＮモジュール１５７、デジタルコードレス電話モジュール１５８、ＬＡＮインタフェース１５９、結合インタフェース（ＤＡＡ：Direct Access Arrangements）１６０、電源回路１６１等を有している。
【００３９】
ＣＰＵ１５１は、クレードル１４の動作を制御するために設けられたプロセッサであり、メモリ１５３にロードされたプログラムを実行する。ＣＰＵ１５１は、プログラムを実行することにより、タッチパッド端末１０とハンドセット１２のアクセスポイントとして動作し、またタッチパッド端末１０とハンドセット１２との間で協同して実行される処理（データ同期など）を仲介するための処理を実行する。
【００４０】
ノースブリッジ１５２は、ＣＰＵ１５１のローカルバスとサウスブリッジ１５５との間を接続するブリッジデバイスである。
サウスブリッジ１５５は、各モジュールとノースブリッジ１５２とを接続する。
フラッシュＲＯＭ１５６は、プログラムやデータを記憶する。
無線ＬＡＮモジュール１５７は、例えば、Ｗｉ−Ｆｉ（登録商標）を利用したモジュールであり、タッチパッド端末１０との無線通信を制御する。
デジタルコードレス電話モジュール１５８は、例えば、ＤＥＣＴの規格に準拠したモジュールであり、タッチパッド端末１０及びハンドセット１２との無線通信を制御する。
【００４１】
ＬＡＮインタフェース１５９は、無線ＬＡＮモジュール１５７とＬＡＮケーブル１５とを接続するためのインタフェースである。ＬＡＮインタフェース１５９は、ＲＪ−４５（コネクタ）１５９によりＬＡＮケーブル１５が接続される。
【００４２】
結合インタフェース１６０は、デジタルコードレス電話モジュール１５８と電話ケーブル１６とを接続するためのインタフェースである。結合インタフェース１６０は、ＲＪ−１１（コネクタ）１６０により電話ケーブル１６が接続される。
【００４３】
電源回路１６１は、外部電源（図示せず）と接続され、各モジュールへの動作電源を生成して供給する。また、電源回路１６１は、タッチパッド端末１０がクレードル１４に設置された際に、電源コネクタ１５ａを介してタッチパッド端末１０に電力を供給する。また、電源回路１６１は、ハンドセット１２がクレードル１４に設置された際に、電源コネクタ１５ｂを介してハンドセット１２に電力を供給する。
【００４４】
図６は、本実施形態におけるタッチパッド端末１０、ハンドセット１２、及びクレードル１４の接続関係を示す図である。
図６に示すように、ハンドセット１２とクレードル１４とは、デジタルコードレス電話規格に準拠した無線通信（Ｒ１)によりそれぞれ接続される。タッチパッド端末１０とクレードル１４とは、デジタルコードレス電話規格に準拠した無線通信（Ｒ２)と無線ＬＡＮによる無線通信（Ｒ３）により接続される。
【００４５】
クレードル１４に接続されたＬＡＮケーブル１５と電話ケーブル１６は、ブロードバンドルータ１７と接続される。ブロードバンドルータ１７は、データ通信網（インターネット等を含む）と接続するためのケーブル（例えば光ケーブル）と、公衆電話回線網（ＰＳＴＮ）と接続するための電話ケーブル１９とが接続されている。従って、クレードル１４は、ブロードバンドルータ１７を介して、外部ネットワーク（データ通信網、公衆回線網）と接続される。
【００４６】
図７は、本実施形態におけるクレードル１４を介した通信経路を説明するための図である。
図７に示すように、通信経路Ｓ１は、タッチパッド端末１０とクレードル１４とが無線ＬＡＮ（無線通信Ｒ３）により接続され、クレードル１４がＬＡＮケーブル１５を介してデータ通信網と接続される経路である。通信経路Ｓ２は、タッチパッド端末１０とクレードル１４とが無線ＬＡＮ（無線通信Ｒ３）により接続され、ハンドセット１２とクレードル１４とが無線通信Ｒ１により接続されることにより、タッチパッド端末１０とハンドセット１２とが接続される経路である。通信経路Ｓ３は、タッチパッド端末１０とクレードル１４とが無線通信Ｒ２により接続され、クレードル１４が電話ケーブル１６を介して公衆回線網と接続される経路である。通信経路Ｓ４は、タッチパッド端末１０とクレードル１４とが無線通信Ｒ２により接続され、ハンドセット１２とクレードル１４とが無線通信Ｒ１により接続されることにより、タッチパッド端末１０とハンドセット１２とが接続される経路である。通信経路Ｓ５は、ハンドセット１２がクレードル１４と無線通信Ｒ１により接続され、クレードル１４がＬＡＮケーブル１５を介してデータ通信網と接続される経路である。通信経路Ｓ６は、ハンドセット１２がクレードル１４と無線通信Ｒ１により接続され、クレードル１４が電話ケーブル１６を介して公衆回線網と接続される経路である。
【００４７】
通信経路Ｓ１〜Ｓ６は、タッチパッド端末１０とハンドセット１２により実行される処理（プログラム）に応じて何れかが使用される。
図８は、本実施形態におけるコンフィギュレーションリスト２０７の編集画面３００の例を示す図である。コンフィギュレーションリスト２０７の編集画面３００は、アドレス帳２０６の中から通信相手を選択して、登録内容を編集することが選択された場合に表示される。アドレス帳２０６には、通信相手毎に通信方法のそれぞれに対応づけられた通信相手を特定するための識別情報（番号やアドレス等）が記憶される。
【００４８】
図８に示すように、編集画面３００には、アドレス帳２０６中から選択された通信相手の画像３０１と、通信相手の名前３０２と、通信相手の登録番号３０３と、通信相手の電話番号３０４と、通信相手のＦＡＸ番号３０５と、通信相手の携帯電話番号３０６と、通信相手のＥメールアドレス３０７とを入力する欄が表示されている。また、編集画面３００には、選択した通信相手のデータをアドレス帳２０６から削除することを指示する削除ボタン３０８と、編集内容を反映させずに編集前の内容に戻すことを指示するキャンセルボタン３０９と、編集内容を反映させて記憶することを指示する適用ボタン３１０とが表示される。
【００４９】
図８の例においては、通信方法として、通信相手の電話番号３０４と、通信相手の携帯電話番号３０６と、通信相手のＥメールアドレス３０７とが入力され、登録されている。一方、ＦＡＸ３０５は登録されていない。
【００５０】
図９は、本実施形態における通信方法の選択画面４００の例を示す図である。例えば通信方法の選択画面４００は、アドレス帳２０６の中から通信相手を選択すると表示される。図９の例は、図８に示したようにコンフィギュレーションリスト２０７が設定されている通信相手が選択されている場合を示している。図８と同様の表示については、同符号を付し、説明は省略する。
【００５１】
選択画面４００には、通信方法として電話を選択することを指示する電話ボタン４０１と、通信方法としてＦＡＸを選択することを指示するＦＡＸボタン４０２と、通信方法としてＴＶ電話を選択することを指示するＴＶ電話ボタン４０３と、通信方法としてＥメールを選択することを指示するＥメールボタン４０４とが表示される。
【００５２】
図９の例においては、電話ボタン４０１と、ＴＶ電話ボタン４０３と、Ｅメールボタン４０４とが選択可能（Ｅｎａｂｌｅ）に表示されている。一方、ＦＡＸボタン４０２は選択不可（Ｄｉｓａｂｌｅ）に表示されている。即ち、コンフィギュレーションリスト２０７で登録されている通信方法を選択するボタンは選択可能に表示し、登録されていない通信方法を選択するボタンは選択不可に表示される。選択不可に表示されるボタンは、グレーアウトして表示したり、ボタンの外周を点線で表示したりすることで、ユーザに選択することができないことを報知する。
【００５３】
図１０は、本実施形態における通信方法の選択画面５００の例を示す図である。例えば通信方法の選択画面５００は、選択画面４００で選択された通信方法において複数の番号やアドレスが登録されている場合に表示される。図１０の例は、図８に示したようにコンフィギュレーションリスト２０７が設定されている通信相手が選択されている場合に選択画面４００で電話ボタン４０４が選択された場合に表示される選択画面５００を示している。図８と同様の表示については、同符号を付し、説明は省略する。
【００５４】
選択画面５００には、選択画面４００で選択された通信方法と対応づけて登録されている第１の番号を選択するボタン５０１と、第２の番号を選択するボタン５０２とが表示されている。ユーザがボタン５０１とボタン５０２との何れかを選択し、選択した番号で通信を行うことができる。本実施の形態においては、２つの番号が登録されている場合を例に説明したが、登録する番号は３つ以上でも良く、登録されている番号に対応して選択ボタンが表示される。
【００５５】
図１１は、本実施形態における通信方法選択の手順を示すフローチャートである。以下の手順は、ＣＰＵ１１１が表示プログラム２００を実行することで実現される。
【００５６】
まず、ＣＰＵ１１１は、入力デバイスの操作によって通信方法の選択画面を表示するようにグラフィクスコントローラを制御する（ステップＳ１０１）。次に、CPU１１１は、選択画面４００において通信方法が選択されたか否かを判別する（ステップS１０２）。
【００５７】
ステップＳ１０２で判別した結果、通信方法が選択されていないと判別した場合（ステップＳ１０２のＮｏ）、ステップS１０２に戻る。一方、ステップＳ１０２で判別した結果、通信方法が選択されたと判別した場合（ステップＳ１０２のＹｅｓ）、次にCPU１１１は選択された通信方法について複数の番号、若しくはアドレスが登録されているか否かを判別する（ステップＳ１０３）。
【００５８】
ステップＳ１０３で判別した結果、選択された通信方法について複数の番号若しくはアドレスが登録されていると判別した場合（ステップＳ１０３のＹｅｓ）、次にCPU１１１は複数の番号若しくはアドレスの中から、番号若しくはアドレスが選択されたか否かを判別する（ステップＳ１０４）。一方、選択された通信方法について複数の番号若しくはアドレスが登録されていないと判別した場合（ステップＳ１０３のNo）、選択された通信方法について登録されている一つの番号若しくはアドレスを用いて通信を開始する（ステップS１０５）。
【００５９】
ステップＳ１０４で判別した結果、番号若しくはアドレスが選択されていないと判別した場合（ステップＳ１０４のNo）、ステップS１０４に戻る。一方、ステップＳ１０４で判別した結果、番号若しくはアドレスが選択されたと判別した場合（ステップＳ１０４のYes）、CPU１１１は選択された番号若しくはアドレスを用いて通信を開始する（ステップＳ１０５）。以上で、本通信方法選択の手順を終了する。
【００６０】
以上のように、本実施の形態によれば、複数の通信方法を有する電子機器において、通信方法を容易に選択することできる。即ち、電子機器の有する表示部に、電子機器の有する全ての通信方法をアイコンで表示すると共に、番号若しくはアドレスを登録している通信方法のアイコンのみを選択可能（enable）に表示することで、ユーザは所望の通信方法を容易に選択することができる。また、番号等が登録されていない通信方法を表示することで、ユーザに番号等が未登録の通信方法を知らせることが出来る。このような表示にすることで、電子機器の有する複数の通信方法の利用を促進することができ、電子機器の利便性の向上を図ることが出来る。
【００６１】
尚、図１に示すシステムに設けられたタッチパッド端末１０（電子機器）においてアドレス帳を同期する場合を例にしているが、他の電子機器、例えばパーソナルコンピュータ、携帯電話機、カーナビゲーションシステムなどにおいて実現することも可能である。
【００６２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００６３】
また、前述した実施の形態において記載した処理は、コンピュータに実行させることのできるプログラムとして、例えば磁気ディスク（フレキシブルディスク、ハードディスク等）、光ディスク（ＣＤ−ＲＯＭ、ＤＶＤ等）、半導体メモリなどの記録媒体に書き込んで各種装置に提供することができる。また、通信媒体により伝送して各種装置に提供することも可能である。コンピュータは、記録媒体に記録されたプログラムを読み込み、または通信媒体を介してプログラムを受信し、このプログラムによって動作が制御されることにより、上述した処理を実行する。
【符号の説明】
【００６４】
１０…タッチパッド端末、１２…ハンドセット、１４…クレードル、１１９，１５７…無線ＬＡＮモジュール、１２０，１３２，１５８…デジタルコードレス電話モジュール、２００…表示プログラム。
【図１】
2012160909.tif 000003
【図２】
2012160909.tif 000004
【図３】
2012160909.tif 000005
【図４】
2012160909.tif 000006
【図５】
2012160909.tif 000007
【図６】
2012160909.tif 000008
【図７】
2012160909.tif 000009
【図８】
2012160909.tif 000010
【図９】
2012160909.tif 000011
【図１０】
2012160909.tif 000012
【図１１】
2012160909.tif 000013